(57)【要約】【課題】エリア識別情報の表示が隠れていてもどの保管エリアであるかを把握することができる在庫管理システムを提供することを課題とする。【解決手段】在庫のある保管エリアＡに新たな保管物１ａを入庫するときに、在庫の保管物１ｂ及び１ｃによりこの保管エリアＡのエリア用バーコード２が隠れていても、携帯端末機のバーコードリーダで、保管エリアＡに既に在庫となっている保管物１ｂまたは１ｃの保管物用バーコード３から保管物識別情報を読み取ることにより、管理サーバーのＣＰＵは、この在庫の保管物１ｂまたは１ｃの保管物識別情報をメモリに記憶されている情報と照らし合わせて在庫の保管物１ｂまたは１ｃが保管されている保管エリアＡのエリア識別情報を入手することにより、新たな保管物１ａが入庫される保管エリアＡのエリア識別情報を得る。【選択図】図５
2006219244.tif 000002
【特許請求の範囲】
【請求項１】
複数の保管物がそれぞれ複数の保管エリアに保管されると共に各保管物がどの保管エリアに保管されているのかを管理する在庫管理システムにおいて、
各保管物に固有の保管物識別情報を入力するための端末機と、
各保管物の保管物識別情報とこの保管物が保管されている保管エリアに固有のエリア識別情報とを対応させて記憶する管理サーバーと
を備え、保管エリアに在庫となっている保管物の保管物識別情報を前記端末機から前記管理サーバーに入力することにより前記管理サーバーはこの在庫となっている保管物の保管物識別情報に基づいて保管エリアのエリア識別情報を得ることを特徴とする在庫管理システム。
【請求項２】
在庫のある保管エリアに新たな保管物を入庫するときに、この保管エリアに在庫となっている保管物の保管物識別情報を前記端末機から前記管理サーバーに入力することにより前記管理サーバーはこの在庫となっている保管物の保管物識別情報に基づいて新たな保管物が入庫される保管エリアを把握し、把握した保管エリアのエリア識別情報と新たな保管物の保管物識別情報とを対応させて記憶する請求項１に記載の在庫管理システム。
【請求項３】
前記端末機は、在庫となっている保管物に対する新たな保管物の保管位置を示す保管位置情報を前記管理サーバーに入力するための保管位置入力手段を有し、前記管理サーバーは、保管エリアのエリア識別情報と保管物の保管物識別情報とに加えて前記保管位置情報を対応させて記憶する請求項２に記載の在庫管理システム。
【請求項４】
各保管エリアにその保管エリアのエリア識別情報を表示したエリア用バーコードが配置されると共に前記端末機はバーコードリーダを有し、在庫のない保管エリアに保管物を入庫するときに、前記端末機のバーコードリーダによりこの保管エリアの前記エリア用バーコードからエリア識別情報を読み取って前記管理サーバーに入力することにより前記管理サーバーはこのエリア識別情報と保管物の保管物識別情報とを対応させて記憶する請求項１〜３のいずれか一項に記載の在庫管理システム。
【請求項５】
保管エリアのエリア識別情報を人が目視によりその内容を把握できる形で表示したエリア表示部が各保管エリアに配置されると共に前記端末機はキー入力部を有し、在庫のない保管エリアに保管物を入庫するときに、この保管エリアの前記エリア表示部のエリア識別情報を前記端末機のキー入力部を介して前記管理サーバーに入力することにより前記管理サーバーはこのエリア識別情報と保管物の保管物識別情報とを対応させて記憶する請求項１〜３のいずれか一項に記載の在庫管理システム。
【請求項６】
各保管物にその保管物の保管物識別情報を表示した保管物用バーコードが取り付けられると共に前記端末機はバーコードリーダを有し、前記端末機のバーコードリーダにより保管物の前記保管物用バーコードから保管物識別情報を読み取って前記管理サーバーに入力する請求項１〜５のいずれか一項に記載の在庫管理システム。
【請求項７】
保管物は保管エリアの奥から順番に載置されて保管される請求項１〜６のいずれか一項に記載の在庫管理システム。
【請求項８】
前記端末機と前記管理サーバーとの間は無線を介して接続されている請求項１〜７のいずれか一項に記載の在庫管理システム。
【請求項９】
保管物は、品物とこの品物を収容した状態で運搬され保管エリアに保管される運搬具とからなり、前記保管物識別情報には、前記運搬具の固有情報とこの運搬具に収容された品物の固有情報とが含まれる請求項１〜８のいずれか一項に記載の在庫管理システム。
【発明の詳細な説明】
【技術分野】
【０００１】
この発明は、在庫管理システムに係り、特に複数の保管物がそれぞれ複数の保管エリアに保管されると共に各保管物がどの保管エリアに保管されているのかを管理するシステムに関する。
【背景技術】
【０００２】
例えば、特許文献１には、複数の保管エリアに保管物が平置きされて保管される平置き倉庫の在庫管理を行う在庫管理システムが開示されている。保管物を保管エリアに入庫する際に、作業者が端末機等のキーボードにより保管物の情報とこの保管物が保管される保管エリアに表示されているそのエリアの番地を入力して在庫ファイルを形成することにより、在庫の管理を行っている。
【０００３】
【特許文献１】特開平６−３２４１８号公報
【発明の開示】
【発明が解決しようとする課題】
【０００４】
しかしながら、番地等のエリア識別情報は、保管エリアの奥の壁や床等に表示されることが多く、そのため保管エリア内に保管物が保管されると、保管物によりその表示が隠れてエリア識別情報を把握できないことがある。
また、エリア識別情報を各保管エリアにバーコードにより表示し、このバーコードから端末機のバーコードリーダによりエリア識別情報を読み取ることもできるが、この場合も、バーコードが保管物により隠れると、バーコードリーダによるエリア識別情報の読み取りができないという問題があった。
この発明はこのような問題点を解消するためになされたもので、エリア識別情報の表示が隠れていてもどの保管エリアであるかを把握することができる在庫管理システムを提供することを目的とする。
【課題を解決するための手段】
【０００５】
この発明に係る在庫管理システムは、複数の保管物がそれぞれ複数の保管エリアに保管されると共に各保管物がどの保管エリアに保管されているのかを管理する在庫管理システムにおいて、各保管物に固有の保管物識別情報を入力するための端末機と、各保管物の保管物識別情報とこの保管物が保管されている保管エリアに固有のエリア識別情報とを対応させて記憶する管理サーバーとを備え、保管エリアに在庫となっている保管物の保管物識別情報を端末機から管理サーバーに入力することにより管理サーバーはこの在庫となっている保管物の保管物識別情報に基づいて保管エリアのエリア識別情報を得るものである。
【０００６】
保管エリアのエリア識別情報の表示が隠れていても、この保管エリアに在庫となっている保管物の保管物識別情報を端末機から管理サーバーに入力すれば、管理サーバーはこの在庫の保管物の保管物識別情報に基づいてこの在庫の保管物が保管されている保管エリアのエリア識別情報を入手することにより保管エリアのエリア識別情報を得る。
【０００７】
在庫のある保管エリアに新たな保管物を入庫するときに、この保管エリアに在庫となっている保管物の保管物識別情報を端末機から管理サーバーに入力することにより、管理サーバーはこの在庫となっている保管物の保管物識別情報に基づいて新たな保管物が入庫される保管エリアを把握し、把握した保管エリアのエリア識別情報と新たな保管物の保管物識別情報とを対応させて記憶するように構成することができる。
また、この場合、在庫となっている保管物に対する新たな保管物の保管位置を示す保管位置情報を管理サーバーに入力するための保管位置入力手段を端末機に設け、管理サーバーは、保管エリアのエリア識別情報と保管物の保管物識別情報とに加えて保管位置情報を対応させて記憶することが好ましい。
【０００８】
各保管エリアにその保管エリアのエリア識別情報を表示したエリア用バーコードを配置すると共に端末機にバーコードリーダを設け、在庫のない保管エリアに保管物を入庫するときに、端末機のバーコードリーダによりこの保管エリアのエリア用バーコードからエリア識別情報を読み取って管理サーバーに入力することにより管理サーバーがこのエリア識別情報と保管物の保管物識別情報とを対応させて記憶するように構成することもできる。
また、保管エリアのエリア識別情報を人が目視によりその内容を把握できる形で表示したエリア表示部を各保管エリアに配置すると共に端末機にキー入力部を設け、在庫のない保管エリアに保管物を入庫するときに、この保管エリアのエリア表示部のエリア識別情報を端末機のキー入力部を介して管理サーバーに入力することにより管理サーバーがこのエリア識別情報と保管物の保管物識別情報とを対応させて記憶するように構成することもできる。
さらに、各保管物にその保管物の保管物識別情報を表示した保管物用バーコードを取り付けると共に端末機にバーコードリーダを設け、端末機のバーコードリーダにより保管物の保管物用バーコードから保管物識別情報を読み取って管理サーバーに入力することができる。
【０００９】
保管物は、保管エリアの奥から順番に載置されて保管されることが好ましい。
また、端末機と管理サーバーとの間は無線により接続することができる。
また、保管物は、品物とこの品物を収容した状態で運搬され保管エリアに保管される運搬具とからなり、保管物識別情報には、運搬具の固有情報とこの運搬具に収容された品物の固有情報とを含むことができる。
【発明の効果】
【００１０】
この発明によれば、エリア識別情報の表示が隠れていてもどの保管エリアであるかを把握することができる在庫管理システムを実現することができる。
【発明を実施するための最良の形態】
【００１１】
以下、この発明の実施の形態を添付図面に基づいて説明する。
図１に、この発明の実施の形態に係る在庫管理システムが適用された平置き倉庫を示す。この倉庫の内部には、３つの保管エリアＡ〜Ｃが区画形成されており、保管物１がこれら保管エリアＡ〜Ｃに平置きされて保管されるように構成されている。また、各保管エリアＡ〜Ｃの奥の壁には、対応する保管エリアに固有のエリア識別情報（エリアの番地や名称など）を表すエリア用バーコード２が配置されている。さらに、各保管物１にはこの保管物１に固有な保管物識別情報を表す保管物用バーコード３が取り付けられている。
【００１２】
なお、各保管物１は、保管したい品物と運搬具としての箱状のケースとからなり、品物がケース内に収容された状態で保管物１として運搬され、保管エリアＡ〜Ｃに保管されるものとする。ここで、保管物１の保管物識別情報には、対応するケースに固有の情報（ケース番号や名称等）と、このケース内に収容される品物に固有の情報（品物の名称等）とが含まれる。また、保管物１は保管エリアＡ〜Ｃの奥から順番に１列に保管されるものとする。
【００１３】
図２に示されるように、この在庫管理システムは管理サーバー４を有しており、この管理サーバー４のＣＰＵ５に、情報を記憶するためのメモリ６が接続されている。また、ＣＰＵ５には、無線を介して情報を送信及び受信するための送受信部７が接続されている。また、作業者はそれぞれ携帯端末機８を携帯しており、この携帯端末機８は管理サーバー４の送受信部７との間で情報を送信及び受信するための送受信部９を有すると共に、送受信部９には制御部１０を介してディスプレイ部１１が接続されている。また、制御部１０には、エリア用バーコード２及び保管物用バーコード３からエリア識別情報及び保管物識別情報を読み取るためのバーコードリーダ１２が接続されている。さらに、制御部１０には、保管物１を、既に在庫となっている保管物１の上に載置する旨を通知するための上ボタン１３及び既に在庫となっている保管物１の手前に載置する旨を通知するための手前ボタン１４がこの発明の保管位置入力手段としてそれぞれ接続されている。
なお、携帯端末機８のバーコードリーダ１２により読み取られた情報は、その都度、制御部１０を介して送受信部９から送信されると共に管理サーバー４の送受信部７で受信されて管理サーバー４へリアルタイムで入力されるように構成されている。
【００１４】
また、携帯端末機８の表面には、図３に示されるような操作部１５が形成されており、この操作部１５にディスプレイ部１１、上ボタン１３及び手前ボタン１４がそれぞれ配置されている。また、ディスプレイ部１１には、保管物１の保管物識別情報を表示するための保管物表示欄１６と、保管エリアＡ〜Ｃのエリア識別情報を表示するためのエリア表示欄１７とが形成されている。
【００１５】
次に、この発明の実施の形態に係る在庫管理システムの動作について説明する。まず、入庫時の動作について説明する。なお、ここでは、作業者が任意に保管エリアＡ〜Ｃを選択して保管物１を入庫するものとする。まず、図４に示されるように、在庫のない保管エリアＡに保管物１を入庫するときに、作業者は携帯端末機８のバーコードリーダ１２により、入庫する保管物１の保管物用バーコード３から保管物識別情報を読み取ると共に保管エリアＡのエリア用バーコード２からエリア識別情報を読み取って、この保管エリアＡの奥に保管物１を載置して保管する。このとき、バーコードリーダ１２により読み取られた保管物１の保管物識別情報と保管エリアＡのエリア識別情報とは、制御部１０により送受信部９から送信されて管理サーバー４の送受信部７で受信され、管理サーバー４のＣＰＵ５がこれら保管物識別情報及びエリア識別情報とを互いに対応させてメモリ６に記憶する。これにより、メモリ６内に保管物１の在庫データが形成される。
なお、このとき携帯端末機８のバーコードリーダ１２により読み取られた保管物識別情報及びエリア識別情報がそれぞれディスプレイ部１１の保管物表示欄１６及びエリア表示欄１７に表示され、作業者はこれらの表示を見て保管物１及び保管エリアＡを確認することができる。
【００１６】
また、図５及び６に示されるように、既に在庫のある保管エリアＡに新たな保管物１ａを入庫するときに、保管エリアＡに既に在庫となっている保管物１ｂ及び１ｃによりこの保管エリアＡのエリア用バーコード２が隠れてエリア識別情報の読み取りができないことがある。しかし、この場合に、作業者が携帯端末機８のバーコードリーダ１２により、入庫する保管物１ａの保管物用バーコード３から保管物識別情報を読み取ると共に保管エリアＡに既に在庫となっている保管物１ｂまたは１ｃの保管物用バーコード３から保管物識別情報を読み取ると、読み取られた新たな保管物１ａの保管物識別情報と在庫の保管物１ｂまたは１ｃの保管物識別情報とが制御部１０により送受信部９から送信されて管理サーバー４の送受信部７で受信される。ここで、管理サーバー４のＣＰＵ５は、在庫の保管物１ｂまたは１ｃの保管物識別情報をメモリ６内の在庫データと照らし合わせて在庫の保管物１ｂまたは１ｃが保管されている保管エリアＡのエリア識別情報を入手することにより、新たな保管物１ａが入庫される保管エリアＡのエリア識別情報を得る。すなわち、新たな保管物１ａがどの保管エリアに入庫されるのかを把握することができる。
【００１７】
さらに、図５に示されるように、新たな保管物１ａを在庫の保管物１ｂ及び１ｃの上に載置する場合には、作業者が操作部１５の上ボタン１３を押すと、その信号が制御部１０により送受信部９から送信されて管理サーバー４の送受信部７で受信されることにより、新たな保管物１ａを在庫の保管物１ｂ及び１ｃの上に載置するという旨が管理サーバー４のＣＰＵ５に通知される。また、図６に示されるように、新たな保管物１ａを在庫の保管物１ｂ及び１ｃの手前に載置する場合には、作業者が操作部１５の手前ボタン１４を押すと、上ボタン１３の場合と同様に、その信号が管理サーバー４の送受信部７で受信されることにより、新たな保管物１ａを在庫の保管物１ｂ及び１ｃの手前に載置するという旨が管理サーバー４のＣＰＵ５に通知される。
【００１８】
このように、上ボタン１３または手前ボタン１４により通知された情報とメモリ６内の在庫データとに基づいて、ＣＰＵ５は、新たな保管物１ａが保管エリアＡの奥から何個目の下から何段目に保管されるか、すなわち、保管エリアＡにおける新たな保管物１ａの保管位置を把握し、この新たな保管物１ａの保管位置情報を、上述のようにして得られた新たな保管物１ａの保管エリアＡのエリア識別情報と新たな保管物１ａの保管物識別情報とに対応させてメモリ６に記憶する。これにより、メモリ６内に保管物１の在庫データが形成される。
【００１９】
なお、携帯端末機８のバーコードリーダ１２により読み取られた新たな保管物１ａの保管物識別情報がディスプレイ部１１の保管物表示欄１６に表示されると共に、在庫の保管物１ｂまたは１ｃの保管物識別情報に基づいて得られた保管エリアＡのエリア識別情報が管理サーバー４から携帯端末機８の制御部１０に通知されてディスプレイ部１１のエリア表示欄１７に表示されるので、作業者はこれらの表示を見て保管物１と保管エリアＡを確認することができる。また、ディスプレイ部１１のエリア表示欄１７に、保管エリアＡのエリア識別情報だけでなく新たな保管物１ａの保管位置情報も表示することもできる。
【００２０】
また、図１に示すように、在庫の保管物１が保管エリアＡの奥から複数個存在する場合には、在庫の保管物の保管物識別情報を読み取る際に、保管エリアＡ内の最も手前に位置する在庫の保管物１の保管物用バーコード３からバーコードリーダ１２により保管物識別情報を読み取るものとする。また、保管エリアＡ内の最も手前に位置する保管物１であれば何段目の保管物１でもよい。
なお、保管エリアＢ及びＣに保管物１を入庫する場合も、保管エリアＡの場合と同様に保管物１を入庫してメモリ６内にこの保管物１の在庫データを形成することができる。
【００２１】
次に、出庫時の動作について説明する。出庫時には、管理サーバー４により携帯端末機８のディスプレイ部１１の保管物表示欄１６に、出庫する保管物１の保管物識別情報が表示されると共に、ディスプレイ部１１のエリア表示欄１７に、出庫する保管物１が保管されている保管エリアのエリア識別情報、及びこの保管物１が保管されている位置を示す保管位置情報（例えば、奥から何個目の下から何段目など）が表示されて、出庫指示が行われる。なお、この保管位置情報の表示は、手前から何個目という表示もできると共に、上から何段目という表示も可能である。
【００２２】
作業者は、この出庫指示を確認して、指示された保管エリアを探す。このとき、保管エリアＡ〜Ｃのエリア用バーコード２がその保管エリアＡ〜Ｃに既に在庫となっている保管物等により隠れていても、作業者が携帯端末機８のバーコードリーダ１２により、保管エリアＡ〜Ｃに既に在庫となっている保管物１の保管物用バーコード３から保管物識別情報を読み取ると、管理サーバー４のＣＰＵ５が、読み取られた保管物識別情報とメモリ６内の在庫データとを照らし合わせることにより、この在庫の保管物１が保管されている保管エリアを判断し、その保管エリアのエリア識別情報をディスプレイ部１１のエリア表示欄１７に表示する。この表示を見て、作業者は所望の保管エリアを見つけ出すことができると共に、その保管エリアにおいて、指示された保管位置にある保管物を取り出す。これにより、保管物１が出庫される。
【００２３】
以上のように、保管エリアＡ〜Ｃのエリア用バーコード２がその保管エリアＡ〜Ｃに既に在庫となっている保管物等により隠れていても、この在庫の保管物の保管物用バーコードから保管物識別情報を読み取ることにより、どの保管エリアであるかを把握することができる。したがって、作業性が向上すると共に、特にエリア用バーコード２を在庫の保管物１により隠れないように配置することが困難な現場において有用である。
また、作業者が上ボタン１３及び手前ボタン１４により新たな保管物の保管位置を管理サーバー４に通知することにより、各保管物１が保管エリアＡ〜Ｃ内のどこに保管されているのかを管理することができる。したがって、出庫時に所望の保管物１を容易に取り出すことができる。
【００２４】
なお、上述の実施の形態において、１つの保管エリアＡ〜Ｃに対して、異なる種類の保管物１を混載して保管することもできるし、同じ種類の保管物１を保管することもできる。
また、例えばサイズの異なるケースや径の異なるロール紙等、大きさの異なる保管物１を保管する場合に、各保管エリアＡ〜Ｃの奥から任意に保管することができるため、大小混載の保管物１を効率的に保管してその在庫管理を行うことができる。
【００２５】
なお、上述の実施の形態では、在庫のある保管エリアに新たな保管物を入庫する時には、保管エリアＡ内の最も手前に位置する在庫の保管物１の保管物用バーコード３から保管物識別情報を読み取るようにしているため、作業者が誤って最も手前に位置しない保管物１の保管物識別情報を読んで上ボタン１３または手前ボタン１４を押した際に、管理サーバー４から携帯端末機８の保管物表示欄１６またはエリア表示欄１７に、「最も手前の在庫ではない。ここに保管することはできない。」という旨のエラー情報を表示することができる。
【００２６】
また、新たな保管物１を在庫の保管物１の上に置く場合に、新たな保管物１が上に直接置かれる在庫の保管物１の保管物識別情報、すなわち、複数段に亙って保管物１が積載されているときには最上段の保管物１の保管物識別情報を読み取って上ボタン１３を押すものとすることにより、どの在庫の保管物１の上に新たな保管物１を載置したかを管理サーバー４により容易に把握することができる。また、この場合、作業者が誤って、その上に既に別の保管物１が載置してある在庫の保管物１の保管物識別情報を読んで上ボタン１３を押した際に、管理サーバー４から携帯端末機８の保管物表示欄１６またはエリア表示欄１７に、「上に在庫が存在する。ここに保管することはできない。」という旨のエラー情報を表示することができる。
これらのエラー情報を見て、作業者は改めて情報の読み直しを行う、あるいは、管理サーバー４のメモリ６内のデータに誤りがあるとして管理サーバー４のデータのメンテナンスを行うことにより、正確な在庫管理を行うことができる。
【００２７】
なお、上述の実施の形態では、作業者が任意に保管エリアＡ〜Ｃを選択して保管物１を入庫するものとしたが、その代わりに、入庫する保管物１の保管物識別情報をバーコードリーダ１２により読み取った際に、管理サーバー４から入庫すべき保管エリアの候補が携帯端末機８のエリア表示欄１７に指示されるようにしてもよい。この場合も、作業者は、エリア用バーコード２からエリア識別情報を読み取る、または保管エリアＡ〜Ｃに既に在庫となっている保管物１の保管物識別情報を読み取ることによりその保管エリアのエリア識別情報を得て各保管エリアＡ〜Ｃを把握し、指示された保管エリアに保管物１を入庫することができる。
【００２８】
また、出庫時に、出庫対象の保管物１の手前に別の保管物１が載置されている場合には、手前の保管物１を一時的に保管エリアＡ〜Ｃ内から取り出して退避させ、出庫対象の保管物１を取り出した後に、再び元の保管エリアＡ〜Ｃ内に戻すことができる。ここで、退避時には、取り出す各保管物１の保管物用バーコード３からバーコードリーダ１２により保管物識別情報を読み取って退避することを管理サーバー４に通知し、再び戻す時には、実施の形態における入庫時と同様に、各保管物１をどの保管エリアＡ〜Ｃのどこに載置するかを通知しながら載置すればよい。
【００２９】
また、実施の形態では、バーコードリーダ１２により読み取った情報を無線によりリアルタイムで管理サーバー４に入力していたが、その代わりに、所定量の情報を保存できるメモリを携帯端末機８に設け、一定の入庫及び出庫作業が完了する毎に携帯端末機８を管理サーバー４に有線で接続して携帯端末機８から管理サーバー４へ情報を入力するバッチ処理を行うこともできる。
【００３０】
また、エリア識別情報をバーコード表示したエリア用バーコード２の代わりに、各保管エリアＡ〜Ｃのエリア識別情報を人が目視によりその内容を把握できる形で表示したエリア表示部を対応する保管エリアＡ〜Ｃにそれぞれ配置すると共に携帯端末機８にキー入力部を設け、在庫のない保管エリアＡ〜Ｃに保管物１を入庫する際に、作業者がエリア表示部を見てそのエリア識別情報をキー入力部を介して入力することにより、各保管エリアのＡ〜Ｃのエリア識別情報を得ることもできる。また、これらエリア用バーコード２とエリア表示部の双方を配置してもよい。
また、このようなエリア識別情報の表示は、各保管エリアＡ〜Ｃの奥の壁に配置されることに限定されず、床面などにも配置することができる。すなわち、在庫のない保管エリアＡ〜Ｃに保管物１を入庫する際に作業者がバーコードリーダ１２やキー入力部を介してその保管エリアＡ〜Ｃのエリア識別情報を管理サーバー４に入力することができれば、どこに配置されていてもよい。
【００３１】
また、予めケースの固有情報とこのケース内に収容される品物の固有情報とを関連付けて管理サーバー４のメモリ６に記憶させておくこともでき、この場合、保管物用バーコード３によりケースの固有情報のみを表し、この保管物用バーコード３をバーコードリーダ１２で読み取ることにより管理サーバー４のＣＰＵ５や携帯端末機８の保管物表示欄１６にケースの固有情報とこのケースの固有情報に関連した品物の固有情報とが入力されるように構成してもよい。
また、このように保管物用バーコード３によりケースの固有情報のみを表すときに、互いに固有情報が一致する複数のケースが存在する場合には、ケースの固有情報が一致する全ての保管物１の品物の情報を保管物表示欄１６に一覧で表示し、作業者が目視によりケース内に収容されている品物を確認して一覧から所望の保管物１を選択することもできる。
【００３２】
また、携帯端末機８に上ボタン１３または手前ボタン１４を設けたが、その代わりに、上ボタン１３のみを設けて、バーコードリーダ１２により保管物識別情報を２回読んだら自動的に手前に載置する旨が通知されるように構成することもできる。同様に、手前ボタン１４のみを設けて、２回読んだら上に載置する旨が通知されるように構成してもよい。
【００３３】
また、作業完了ボタン等を設けて、このボタンが押されることにより管理サーバー４のＣＰＵ５が保管物識別情報とエリア識別情報を対応させてメモリ６に記憶するように設定すれば、間違って読み取った情報などがそのままメモリ６に記憶されることが防止され、より正確に在庫管理を行うことができる。
また、上述の実施の形態において、各保管エリアＡ〜Ｃにおいて保管物１を横に何列かに亙って載置して保管してもよく、この場合、新たに入庫する保管物１を在庫の保管物１の右に載置する、または左に載置することを管理サーバー４に通知するための右ボタン、左ボタンをこの発明の保管位置入力手段としてさらに備えることが好ましい。
【００３４】
また、上述の実施の形態では、運搬具として箱状のケースを用いたが、これに限るものではなく、板状のパレットを運搬具として使用し、パレットの上に品物を積載してこれを保管物１とすることもできる。
また、携帯端末機８の代わりに、フォークリフト等の搬送車に取り付けられた作業装置用端末機を用いることもできる。
【００３５】
なお、上述の実施の形態では、３つの保管エリアＡ〜Ｃを有する平置き倉庫について説明したが、この発明の在庫管理システムは、２つ、あるいは４つ以上の保管エリアを有する平置き倉庫についても適用される。
【図面の簡単な説明】
【００３６】
【図１】この発明の実施の形態に係る在庫管理システムが適用された平置き倉庫を示す斜視図である。
【図２】この発明の実施の形態に係る在庫管理システムを示すブロック図である。
【図３】実施の形態における携帯端末機の操作部を示す図である。
【図４】実施の形態における在庫のない保管エリアに保管物を入庫する際の様子を示す斜視図である。
【図５】実施の形態における在庫のある保管エリアに保管物を入庫する際の様子を示す斜視図である。
【図６】実施の形態における在庫のある保管エリアに保管物を入庫する際の様子を示す斜視図である。
【符号の説明】
【００３７】
１，１ａ，１ｂ，１ｃ  保管物、２  エリア用バーコード、３  保管物用バーコード、４  管理サーバー、５  ＣＰＵ、６  メモリ、７，９  送受信部、８  携帯端末機、１０  制御部、１１  ディスプレイ部、１２  バーコードリーダ、１３  上ボタン、１４  手前ボタン、１５  操作部、１６  保管物表示欄、１７  エリア表示欄、Ａ，Ｂ，Ｃ  保管エリア。
【図２】
2006219244.tif 000003
【図３】
2006219244.tif 000004
【図１】
2006219244.tif 000005
【図４】
2006219244.tif 000006
【図５】
2006219244.tif 000007
【図６】
2006219244.tif 000008